(57)【特許請求の範囲】
【請求項１】
前面に開口（２７）が設けられたケーシング（６０）と、
前記開口（２７）を覆うように設けられ、前記開口（２７）から離れるように移動することによって前記開口（２７）を開き、前記開口（２７）に近接するように移動することによって前記開口（２７）を閉じる可動パネル（７２）と、
前記可動パネル（７２）を移動させるための駆動力を発生させる駆動部（４１）と、
前記駆動部（４１）の駆動力を前記可動パネル（７２）に伝達する駆動力伝達部（６８０）と、前記駆動力伝達部（６８０）の外側に設けられ前記可動パネル（７２）の開状態において前記可動パネル（７２）と前記ケーシング（６０）との隙間を塞ぐ板部（６８１）とを有する開閉部材（６８）と、
を備える空気調和機（１）の室内機（２）。
【請求項２】
前記開閉部材（６８）は、前記可動パネル（７２）を支持しており、前記ケーシング（６０）から前方へと突出することによって前記可動パネル（７２）を前記開口（２７）から離れるように移動させる、
請求項１に記載の空気調和機（１）の室内機（２）。
【請求項３】
前記板部（６８１）は、前記可動パネル（７２）を支持し前記ケーシング（６０）から前方へと突出することによって前記可動パネル（７２）を前記開口（２７）から離れるように移動させる支持部材を兼ねる、
請求項１または２に記載の空気調和機（１）の室内機（２）。
【請求項４】
前記駆動力伝達部（６８０）と前記板部（６８１）とは、一体的に設けられる、
請求項１から３のいずれかに記載の空気調和機（１）の室内機（２）。
【請求項５】
前記駆動力伝達部（６８０）と前記板部（６８１）とは、一体成型される、
請求項１から４のいずれかに記載の空気調和機（１）の室内機（２）。
【請求項６】
前記開閉部材（６８）は、それぞれ、前記ケーシング（６０）の両側面の内面に近接するように設けられる、
請求項１から５のいずれかに記載の空気調和機（１）の室内機（２）。
【発明の詳細な説明】
【技術分野】
【０００１】
本発明は、空気調和機の室内機に関する。
【背景技術】
【０００２】
空気調和機の室内機には、前面に開口が設けられたケーシングと、可動パネルとを備えるものがある。可動パネルは、ケーシングの開口を覆うように設けられ、開口から離れるように移動することによって開口を開き、開口に近接するように移動することによって開口を閉じる。また、空気調和機の室内機は、可動パネルをこのように移動させるために、駆動部と、駆動部の駆動力を可動パネルに伝達するためのギアやカムなどの駆動力伝達部とを備えることが多い（特許文献１参照）。この駆動力伝達部によって駆動部の駆動力が可動パネルに伝達され、可動パネルの開閉動作が行われる。
【特許文献１】実開平７−１２８２１号公報
【発明の開示】
【発明が解決しようとする課題】
【０００３】
しかし、上記のような空気調和機の室内機においては、駆動力伝達部の近傍に人の手が入る恐れがある。すなわち、開状態の可動パネルとケーシングとの間に隙間が存在する場合には、その隙間から人の手が駆動力伝達部近傍へと挿入される恐れがあり、手が駆動力伝達部に触れる恐れがある。
本発明の課題は、可動パネルの開閉動作における安全性を向上させることができる空気調和機の室内機を提供することにある。
【課題を解決するための手段】
【０００４】
請求項１に記載の空気調和機の室内機は、ケーシングと、可動パネルと、駆動部と、開閉部材とを備える。ケーシングは、前面に開口が設けられる。可動パネルは、開口を覆うように設けられ、開口から離れるように移動することによって開口を開き、開口に近接するように移動することによって開口を閉じる。駆動部は、可動パネルを移動させるための駆動力を発生させる。開閉部材は、駆動力伝達部と板部とを有する。駆動力伝達部は、駆動部の駆動力を可動パネルに伝達する。板部は、駆動力伝達部の外側に設けられ、可動パネルの開状態において可動パネルとケーシングとの隙間を塞ぐ。
【０００５】
この空気調和機の室内機では、開閉部材は、駆動力伝達部の外側に設けられ可動パネルの開状態において可動パネルとケーシングとの隙間を塞ぐ板部を有している。このため、可動パネルの開状態において、板部によって、ケーシングと可動パネルと隙間から人の手を挿入し難くすることができ、手が駆動力伝達部に触れる恐れを低減することができる。これにより、この空気調和機の室内機では、可動パネルの開閉動作における安全性を向上させることができる。
【０００６】
請求項２に記載の空気調和機の室内機は、請求項１に記載の空気調和機の室内機であって、開閉部材は、可動パネルを支持しており、ケーシングから前方へと突出することによって可動パネルを開口から離れるように移動させる。
この空気調和機の室内機では、可動パネルを支持する開閉部材が、ケーシングから前方へと突出することによって、可動パネルを開状態とする。可動パネルがこのように移動する場合には、ケーシングと可動パネルとの間に比較的大きな隙間ができ、人の手が挿入される恐れが大きい。しかし、この空気調和機の室内機では、板部によって人の手が駆動力伝達部に触れる恐れを低減することができ、安全性を向上させることができる。
【０００７】
請求項３に記載の空気調和機の室内機は、請求項１または２に記載の空気調和機の室内機であって、板部は、可動パネルを支持し、ケーシングから前方へと突出することによって可動パネルを開口から離れるように移動させる。
この空気調和機の室内機では、板部は、可動パネルを支持し、ケーシングから前方へと突出することによって可動パネルを開口から離れるように移動させる。このため、この空気調和機の室内機では、可動パネルを支持する部材を別途設ける必要が無く、部品点数を削減することができる。
【０００８】
請求項４に記載の空気調和機の室内機は、請求項１から３のいずれかに記載の空気調和機の室内機であって、駆動力伝達部と板部とは、一体的に設けられる。
この空気調和機の室内機では、駆動力伝達部と板部とは、一体的に設けられる。このため、可動パネルの開動作において、駆動力伝達部の移動と共に板部が移動する。これにより、開状態の可動パネルとケーシングとの隙間を板部によって塞ぐことができる。
【０００９】
請求項５に記載の空気調和機の室内機は、請求項１から４のいずれかに記載の空気調和機の室内機であって、駆動力伝達部と板部とは、一体成型される。
この空気調和機の室内機では、駆動力伝達部と板部とは、一体成型される。このため、この空気調和機の室内機では、部品点数を削減することができる。
請求項６に記載の空気調和機の室内機は、請求項１から５のいずれかに記載の空気調和機の室内機であって、開閉部材は、それぞれ、ケーシングの両側面の内面に近接するように設けられる。
【００１０】
この空気調和機の室内機では、開閉部材は、それぞれ、ケーシングの両側面の内面に近接するように設けられる。このため、ケーシングの両側方から人の手を挿入し難くすることができる。これにより、この空気調和機の室内機では、安全性をさらに向上させることができる。
【発明の効果】
【００１１】
請求項１に記載の空気調和機の室内機では、可動パネルの開状態において、板部によって、ケーシングと可動パネルと隙間から人の手を挿入し難くすることができ、手が駆動力伝達部に触れる恐れを低減することができる。これにより、この空気調和機の室内機では、可動パネルの開閉動作における安全性を向上させることができる。
請求項２に記載の空気調和機の室内機では、可動パネルを支持する開閉部材が、ケーシングから前方へと突出することによって、可動パネルを開状態とする。可動パネルがこのように移動する場合には、ケーシングと可動パネルとの間に比較的大きな隙間ができ、人の手が挿入される恐れが大きい。しかし、この空気調和機の室内機では、板部によって人の手が駆動力伝達部に触れる恐れを低減することができ、安全性を向上させることができる。
【００１２】
請求項３に記載の空気調和機の室内機では、板部は、可動パネルを支持し、ケーシングから前方へと突出することによって可動パネルを開口から離れるように移動させる。このため、この空気調和機の室内機では、可動パネルを支持する部材を別途設ける必要が無く、部品点数を削減することができる。
請求項４に記載の空気調和機の室内機では、駆動力伝達部と板部とは、一体的に設けられる。このため、可動パネルの開動作において、駆動力伝達部の移動と共に板部が移動する。これにより、開状態の可動パネルとケーシングとの隙間を板部によって塞ぐことができる。
【００１３】
請求項５に記載の空気調和機の室内機では、駆動力伝達部と板部とは、一体成型される。このため、この空気調和機の室内機では、部品点数を削減することができる。
請求項６に記載の空気調和機の室内機では、開閉部材は、それぞれ、ケーシングの両側面の内面に近接するように設けられる。このため、ケーシングの両側方から人の手を挿入し難くすることができる。これにより、この空気調和機の室内機では、安全性をさらに向上させることができる。
【発明を実施するための最良の形態】
【００１４】
〔空気調和機の全体構成〕
本発明の第１実施形態にかかる空気調和機１の構成および冷媒回路の概略を図１に示す。
この空気調和機１は、室内の壁面などに取り付けられる室内機２と、室外に設置される室外機３とを備えている。
【００１５】
この空気調和機１の冷媒回路は、主として室内熱交換器２０、アキュムレータ３１、圧縮機３２、四路切換弁３３、室外熱交換器３０および電動膨張弁３４で構成される。
室内機２に設けられている室内熱交換器２０は、接触する空気との間で熱交換を行う。また、室内機２には、室内空気を吸い込んで室内熱交換器２０に通し熱交換が行われた後の空気を室内に排出するための室内ファン２１が設けられている。室内ファン２１は、室内機２内に設けられる室内ファンモータ２２によって回転駆動される。室内機２の構成については後に詳細に説明する。
【００１６】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、液閉鎖弁３６を介して配管２３に接続されており、この配管２３を介して室内熱交換器２０の一端と接続される。また、四路切換弁３３は、ガス閉鎖弁３７を介して配管２４に接続されており、この配管２４を介して室内熱交換器２０の他端と接続されている。また、室外機３には、室外熱交換器３０での熱交換後の空気を外部に排出するための室外ファン３８が設けられている。この室外ファン３８は、室外ファンモータ３９によって回転駆動される。
【００１７】
〔室内機の構成〕
図２に室内機２の分解斜視図を示す。
室内機２は、室内の側壁に設けられる壁掛け型の室内機であり、主として、本体部４、吹出し口組立体５、前面グリル組立体６、前面パネル７を備える。
［本体部］
本体部４は、室内熱交換器２０、室内ファン２１（図１参照）、室内ファンモータ２２（図１参照）、電装品箱４０、駆動機４１（図４参照）、本体ケーシング４２を有する。
【００１８】
〈室内熱交換器、室内ファン、室内ファンモータ、電装品箱〉
室内熱交換器２０、室内ファン２１、室内ファンモータ２２は、本体ケーシング４２に取り付けられている。図３（ｂ）に示すように、室内熱交換器２０、室内ファン２１は、側面視において、室内ファン２１が室内機２の中央に配置され、逆Ｖ字型の形状を有する室内熱交換器２０が室内ファン２１の上半分を囲むように配置されている。また、室内ファンモータ２２（図示せず）は、室内ファン２１の正面視における右側方に配置されている。なお、図３（ｂ）は室内機２の側面断面図である。
【００１９】
電装品箱４０は、図２に示すように、本体ケーシング４２に取り付けられており、室内熱交換器２０、室内ファン２１、室内ファンモータ２２の正面視における右側方に配置されている。電装品箱４０は、内部に制御基板を収容しており、制御基板は室内機２の冷暖房運転等に必要な各構成部品の制御を行う。
〈駆動機〉
駆動機４１は、図４に示すように、本体ケーシング４２の左側端近傍に配置されており、前面パネル７を移動させるための駆動力を発生させる。駆動機４１は、図５に示すように、パネル開閉モータ４３、第１駆動機ギア４４、第２駆動機ギア４５、駆動機ケーシング４６を有している。
【００２０】
パネル開閉モータ４３は、電装品箱４０に収容される制御部品とケーブル４３０によって接続され、前面パネル７を移動させる駆動源となる。
第１駆動機ギア４４は、パネル開閉モータ４３の回転を第２駆動機ギア４５に伝達する。
第２駆動機ギア４５は、その一部が駆動機ケーシング４６から露出しており、前面グリル６０が本体ケーシング４２に取り付けられた状態で開閉機構６１が有する動力伝達ギア６６（図６参照）と噛み合うように配置されている。このため、本体部４に前面グリル６０を取り付けて後述する固定部６２（図４参照）に駆動機４１を固定することによって、第２駆動機ギア４５と動力伝達ギア６６とを容易に噛み合わせることができる。第２駆動機ギア４５は、第１駆動機ギア４４を介してパネル開閉モータ４３の回転を動力伝達ギア６６に伝達して、開閉機構６１にパネル開閉モータ４３の駆動力を伝達する。
【００２１】
駆動機ケーシング４６は、上記のパネル開閉モータ４３、第１駆動機ギア４４、第２駆動機ギア４５を収容する。また、駆動機ケーシング４６は、係止孔４６１と被固定部４６２とを有する。
係止孔４６１は、駆動機ケーシング４６に設けられた開口であり、図４に示す本体ケーシング４２の係止爪４９０が挿入される。係止孔４６１は、駆動機ケーシング４６に２つ設けられており、それぞれ係止爪４９０の大きさよりも大きく形成されている。このため、係止爪４９０が係止孔４６１に挿入された状態では、駆動機４１は移動不可能に完全に固定されるのではなく、若干移動可能に仮固定される。従って、仮固定の後に行われる本固定の際に、駆動機４１の位置合わせを容易に行うことができる。
【００２２】
被固定部４６２は前面グリル６０の固定部６２に固定される部分であり、螺子穴を有する。被固定部４６２は、前面グリル６０に設けられる固定部６２に螺子止めされる。被固定部４６２と固定部６２による固定は、係止孔４６１と係止爪４９０による仮固定とは異なり、駆動機４１が移動しないように駆動機４１を前面グリル６０に確実に固定する固定である。
【００２３】
〈本体ケーシング〉
本体ケーシング４２には、室内熱交換器２０、室内ファン２１、室内ファンモータ２２、電装品箱４０、駆動機４１が設けられる。本体ケーシング４２には、室内熱交換器２０、室内ファン２１、室内ファンモータ２２、電装品箱４０が固定され、駆動機４１が仮固定される。本体ケーシング４２は、樹脂材料から成型されており、室内ファン２１の下方、後方、左側方を覆う形状を有している。本体ケーシング４２は、図４に示すように、室内ファン収容部４７、背面部４８、左側部４９を有している。なお、図４においては理解の容易のため、室内熱交換器２０や室内ファン２１の記載を省略している。
【００２４】
室内ファン収容部４７は、室内ファン２１および室内ファンモータ２２を収容する部分であり、室内ファン２１の上方から取り付けられる室内熱交換器２０を支持する。室内ファン収容部４７の右側端近傍には、室内ファン２１の右側方に配置される室内ファンモータ２２が固定され、さらにその右側方には電装品箱４０が固定される（図２参照）。室内ファン収容部４７の下部は、吹出し口組立体５が固定される部分となっており、室内ファン２１が収容された空間に連通する開口が設けられている（図示せず）。室内ファン収容部４７の下部に吹出し口組立体５が取り付けられることによって、室内ファン収容部４７の室内ファン２１が収容される空間と、吹出し口２６（図３（ｂ）参照）とが連通する。
【００２５】
背面部４８は、室内ファン２１および室内熱交換器２０の後方を覆い、室内機２の背面側を閉じる。
左側部４９は、駆動機４１が仮固定される部分となっている。左側部４９は、室内ファン収容部４７の左側端近傍に設けられており、室内ファン収容部４７に取り付けられる室内ファン２１および室内熱交換器２０の左側端に対向するように配置される。左側部４９の左側面には、駆動機４１を仮固定する係止爪４９０が設けられている。係止爪４９０は、係止孔４６１に対応して２箇所設けられており、左側部４９の左側面から左側方、すなわち、左側部４９の室内ファン２１側とは反対側へと突出している。係止爪４９０は、前面グリル６０が本体ケーシング４２に取り付けられる前に、駆動機４１を本体ケーシング４２に仮固定する。係止爪４９０が挿入される駆動機４１の係止孔４６１は、上述したように、係止爪４９０よりも大きく形成されている。従って、係止爪４９０と係止孔４６１とによって仮固定された状態の駆動機４１は、若干移動可能に仮固定されており、係止爪４９０は、駆動機４１が後述する前面グリル６０の固定部６２によって固定される際に、駆動機４１が固定部６２によって固定される位置に移動可能なように駆動機４１を仮固定する。
【００２６】
［吹出し口組立体］
図２に示す吹出し口組立体５は、本体部４に取り付けられて吹出し口２６（図３（ｂ）参照）を構成する。吹出し口組立体５によって構成される吹出し口２６は、室内ファン２１によって室内熱交換器２０を通り室内へと吹出される空気が通る開口である。吹出し口２６は、正面視において水平方向に長い形状を有する。また、吹出し口２６は、室内機２の下部近傍であって、室内機２の前面に設けられる。室内機２の運転停止時には、吹出し口２６は、後述する前面パネル７の第１パネル７１によって閉じられる。
【００２７】
吹出し口組立体５は、水平フラップ５０およびフラップモータ５１（図４参照）を有している。水平フラップ５０は、室内機２の長手方向に長い形状を有する板状の形状を有しており、吹出し口２６から吹き出される空気を案内する。水平フラップ５０は、室内機２の長手方向に平行な回転軸を有しており、フラップモータ５１によって駆動され回転軸を中心に回転することにより、空気の案内方向を変更する。また、水平フラップ５０は、水平面に平行になるように移動することにより、水平面に平行な室内機２の底面を構成する。
【００２８】
［前面グリル組立体］
前面グリル組立体６は、前方から本体部４に取り付けられ、本体部４の前方や側面を覆う。前面グリル組立体６は、前面グリル６０および開閉機構６１を有する。
〈前面グリル〉
前面グリル６０は、樹脂材料から成型されており、背面全体が開口した薄型の略直方体形状を有する。前面グリル６０は、正面視において水平方向に長い略長方形の形状を有し、側面視において上下方向に長い略長方形の断面形状を有する。前面グリル６０は、本体部４の前方、左右側方、上方および下方を覆うように本体部４に取り付けられる。また、前面グリル６０には吸込み部２５と吹出し部２９とが設けられている。
【００２９】
吸込み部２５は、室内ファン２１によって室内から室内機２の内部へと取り込まれる空気が通る開口が設けられており、第１吸込み口２７と第２吸込み口２８とを有している。第1吸込み口２７は、前面グリル６０の前面の中央付近から上部に渡って設けられ、室内熱交換器２０の前面側と対向する。第１吸込み口２７は、室内機２の運転停止時には、後述する前面パネル７の第２パネル７２によって閉じられる。第２吸込み口２８は、前面グリル６０の長手方向に長い複数のスリットによって構成されており、前面グリル６０の天面に設けられている。
【００３０】
吹出し部２９は、前面グリル６０の下部に設けられた開口であり、吹出し口組立体５と共に吹出し口２６を構成する。吹出し部２９は、後述する前面パネル７の第１パネル７１によって閉じられる。
また、前面グリル６０の前面には、図４に示すように、固定部６２が設けられている。固定部６２は、仮固定された駆動機４１の被固定部４６２が固定される部分であり、螺子穴を有している。螺子穴は、前面グリル６０の前面の左側端近傍に設けられており、本体部４に仮固定された駆動機４１の被固定部４６２の螺子穴と略対向する位置に設けられている。ただし、仮固定の段階では、被固定部４６２の螺子穴と固定部６２の螺子穴とは完全に一致している必要はなく、被固定部４６２と固定部６２とを固定する本固定の段階で、仮固定された駆動機４１を移動させて被固定部４６２の螺子穴と固定部６２の螺子穴とを一致させればよい。固定部６２と被固定部４６２とは、螺子を被固定部４６２の螺子穴と固定部６２の螺子穴とに通すことによって、固定される。
【００３１】
前面グリル６０の前面の両側端近傍には、上下方向に延びるスリット６００−６０３が設けられている。このスリット６００−６０３は、上下に分かれて左右それぞれに２箇所ずつ、合計４箇所に設けられている。このスリット６００−６０３からは、後述する第１パネル支持部材６７、第２パネル支持部材６８の一部が突出しており、前面パネル７の第１パネル７１と第２パネル７２とが、第１パネル支持部材６７および第２パネル支持部材６８の一部にそれぞれ固定される。
【００３２】
〈開閉機構〉
図２に示す開閉機構６１は、駆動機４１の駆動力によって前面パネル７を移動させて第１吸込み口２７および吹出し口２６を開閉するための機構である。開閉機構６１は、ギア部を有する複数の部材によって構成されており、駆動機４１の駆動力を第１パネル７１および第２パネル７２に伝達する減速機構として機能する。また、開閉機構６１は、駆動機４１から伝わる回転運動を第１パネル７１および第２パネル７２の開閉動作に変換する変換機構として機能する。図６に示すように、開閉機構６１は、前面グリル６０の裏面に設けられており、第１開閉機構６３、第２開閉機構６４および動力伝達軸６５を有している。
【００３３】
第１開閉機構６３は、前面パネル７の左側面の裏面に取り付けられており、後述する第１パネル７１の左側端近傍と第２パネル７２の左側端近傍とを支持する。なお、ここで言う「左右」とは室内機２の正面視における「左右」を意味しており、図６は前面グリル６０を裏側から見た図であるため、図６における左右と正面視における左右とは逆になっている。第１開閉機構６３は、第１パネル７１や第２パネル７２の開閉時に、駆動機４１の駆動力を第１パネル７１の左側端近傍と第２パネル７２の左側端近傍に伝えて第１パネル７１の左側端近傍と第２パネル７２の左側端近傍を移動させ、開閉動作を行わせる。
【００３４】
第２開閉機構６４は、前面パネル７の右側面の裏面に取り付けられており、後述する第１パネル７１の右側端近傍と第２パネル７２の右側端近傍とを支持する。そして、第２開閉機構６４は、第１パネル７１や第２パネル７２の開閉時に、駆動機４１の駆動力を第１パネル７１の右側端近傍と第２パネル７２の右側端近傍に伝えて第１パネル７１の右側端近傍と第２パネル７２の右側端近傍を移動させ、開閉動作を行わせる。
【００３５】
動力伝達軸６５は、駆動機４１の駆動力を第１開閉機構６３および第２開閉機構６４へと分配して伝達する部材であり、第１前面グリル６０の前面の裏面に、室内機２の長手方向に平行な軸を中心に回転自在に取り付けられている。動力伝達軸６５の両端はそれぞれ第１開閉機構６３および第２開閉機構６４と接続されており、その間に動力伝達ギア６６が設けられている。動力伝達ギア６６は、第１開閉機構６３の近傍に設けられており、前面グリル６０が本体部４に取り付けられた状態で、駆動機４１の第２駆動機ギア４５と噛み合うように配置されている。このように、開閉機構６１は、動力伝達軸６５によって、駆動機４１からの駆動力を第１開閉機構６３および第２開閉機構６４へと分配するように構成されている。
【００３６】
以下、第１開閉機構６３の構成について詳細に説明するが、第２開閉機構６４は第１開閉機構６３と左右対称の同様の構造を有している。
第１開閉機構６３は、図７に示すように、第１開閉ギア６３０、第２開閉ギア６３１、第１パネル支持部材６７、第２パネル支持部材６８を有している。また、第１開閉機構６３は、これらのギアおよび部材を収容する第１開閉機構ケーシング６９を有しており、ユニット化されている。
【００３７】
第１開閉ギア６３０は、動力伝達軸６５の一端に固定され、動力伝達軸６５を介して伝達される駆動機４１からの駆動力を第２開閉ギア６３１へと伝達する。
第２開閉ギア６３１は、第１開閉ギア６３０、第１パネル支持部材６７の第１ギア部６７０および第２パネル支持部材６８の第２ギア部６８０と噛み合っており、第１開閉ギア６３０から伝達される駆動力を第１パネル支持部材６７および第２パネル支持部材６８にそれぞれ伝達する。
【００３８】
第１パネル支持部材６７は、第１パネル７１に取り付けられ、第１パネル７１を支持する平坦な板状の部材である。第１パネル支持部材６７は、上下方向に移動可能に設けられており、第１パネル７１を上下方向に直線的に移動させることができる。第１パネル支持部材６７は、上下方向に平行に延びる直線的な形状の直線部分６７１と、直線部分６７１の下部から室内機２の前方へ向けて湾曲する湾曲部分６７２とを有している。そして、湾曲部分６７２の先端は、前面グリル６０の前面に設けられたスリット６０１を通って前面グリル６０の前方へと突出している（図４参照）。この湾曲部分６７２の先端には第１パネル７１の左側端近傍が固定される。また、直線部分６７１には、第１ギア部６７０が設けられている。第１ギア部６７０は、上下方向に延びるラックギアであり、第２開閉ギア６３１の回転運動を上下方向への直線運動へと変換する。これにより、駆動機４１の回転運動が、第１パネル７１の上下方向への直線運動に変換される。
【００３９】
第２パネル支持部材６８は、第２パネル７２に取り付けられ、第２パネル７２を支持する平坦な板状の部材である。第２パネル支持部材６８は、前後方向に移動可能に設けられており、第２パネル７２を前後方向に移動させることができる。詳細には、第２パネル支持部材６８は、緩やかな円弧を描いて前後方向に移動する。すなわち、第２パネル７２が前方へと移動する場合には、第２パネル７２は、その上端が前傾するように移動し、第２パネル７２が後方へと移動する場合には、第２パネル７２は、前傾していた上端が元に戻り第２パネル７２が上下方向に平行になるように移動する（図８参照）。第２パネル支持部材６８は、樹脂材料から一体成型されており、第２ギア部６８０と板部６８１とを有している。
【００４０】
第２ギア部６８０は、板部６８１の内側から突出して設けられており、第２開閉ギア６３１と噛み合っている。第２ギア部６８０は、緩やかな円弧を描きながら前後方向に延びるラックギアであり、第２開閉ギア６３１の回転運動を円弧運動に変換して、駆動機４１の駆動力を第２パネル７２へと伝達する。
板部６８１は、第１開閉ギア６３０、第２開閉ギア６３１および第１パネル支持部材６７の外側（左側方）に設けられており、第１開閉ギア６３０、第２開閉ギア６３１および第１パネル支持部材６７の外側を覆っている。板部６８１の前端は前面パネル７の前面に設けられたスリット６００を通って前方へと突出しており、第２パネル７２の左側端近傍が固定され第２パネル７２の左側端近傍を支持する。板部６８１は、第２ギア部６８０に伝達される駆動機４１の駆動力によって、上記のような緩やかな円弧を描くように移動する。第２パネル７２の開動作においては、板部６８１は、スリット６００から前面グリル６０の前方へとさらに突出することによって第２パネル７２を第１吸込み口２７から離れるように移動させる。特に、第２パネル７２の開状態においては、板部６８１は、スリット６００から前面グリル６０の前方へと大きく突出しており、第２パネル７２と前面グリル６０との隙間の側方を塞ぐ（図８参照）。これにより、板部６８１は、第２パネル７２と前面グリル６０との隙間の側方から居住者等の手が挿入されることを防止する。また、板部６８１は第２ギア部６８０、第１開閉ギア６３０、第２開閉ギア６３１等の外側に位置するため、居住者等の手が第２ギア部６８０や第１開閉ギア６３０、第２開閉ギア６３１等に触れることが防止される。
【００４１】
［前面パネル］
前面パネル７は、図３（ａ）に示すように、前面グリル６０の前面の略全体を覆う。前面パネル７は、正面視において吹出し口２６と第1吸込み口２７とを覆い、吹出し口２６と第1吸込み口２７とを開閉する。前面パネル７は、継目の無い複数のパネルが集合したパネル集合体であり、第１パネル７１と第２パネル７２と第３パネル７３とを有している。
【００４２】
〈第１パネル〉
第１パネル７１は、前面グリル６０の前面の下方に、吹出し口２６を開閉するように移動可能に配置されており、吹出し口２６を覆うように設けられる。第１パネル７１は、開閉機構６１によって上下方向に平行移動可能に左右両端近傍を支持されており、吹出し口２６を開閉する。第１パネル７１は、継目を有さない長方形の平板状の部材であり、正面視における前面グリル６０の幅Ｗと略同じ幅を有する。第１パネル７１の表側は、凹凸および穴などの開口部のない滑らかな概ね平坦な形状に形成されている。この第１パネル７１は、吹出し口２６を閉じた状態においては、図３（ａ）および図８（ａ）のように、上下方向に平行な状態となる。また、この状態では、第１パネル７１は、正面視において吹出し口２６よりも大きな投影面積を有する。従って、第１パネル７１は、吹出し口２６を閉じた状態においては、吹出し口２６を含む前面グリル６０の前面の下方を完全に覆う。また、第１パネル７１は、パール粒子などの輝度を有する粒子が混入された透明樹脂によって成型されており、粒子が混入された透明樹脂層を有している。そして、透明樹脂層の裏側には、色彩や模様等が表された塗料層が設けられている。この塗料層は、第１パネル７１の裏側から塗装を施すことによって形成される。このように、第１パネル７１は、意匠性が高く、居住者等の目に触れ易い前面に配置されることにより室内機２の意匠性を高める意匠パネルとして機能する。
【００４３】
〈第２パネル〉
第２パネル７２は、前面グリル６０の前面の上方に、第１吸込み口２７を開閉するように移動可能に配置されており、第１吸込み口２７を覆うように設けられる。第２パネル７２は、開閉機構６１によって前後方向に移動可能に左右両端近傍を支持されており、第１吸込み口２７から離れるように移動することによって第１吸込み口２７を開き、第１吸込み口２７に近接するように移動することによって第１吸込み口２７を閉じる。第２パネル７２は、継目を有さない長方形の平板状の部材であり、正面視において第１吸込み口２７を含む前面グリル６０の幅Ｗと略同じ幅を有する。第２パネル７２の表側は、凹凸および穴などの開口部のない滑らかな概ね平坦な形状に形成されている。この第２パネル７２は、第１吸込み口２７を閉じた状態においては、図３（ａ）および図８（ａ）のように、上下方向に平行な状態となる。また、第２パネル７２は、正面視において第１吸込み口２７よりも大きな投影面積を有する。従って、第２パネル７２は、第１吸込み口２７を閉じた状態においては、第１吸込み口２７を含む前面グリル６０の前面の上半分を完全に覆う。また、第２パネル７２は、第１パネル７１と同様に、パール粒子などの輝度を有する粒子が混入された透明樹脂によって成型されており、粒子が混入された透明樹脂層を有している。そして、透明樹脂層の裏側には、色彩や模様等が表された塗料層が設けられている。この塗料層は、第２パネル７２の裏側から塗装を施すことによって形成される。このように、第２パネル７２は、意匠性が高く、居住者等の目に触れ易い前面に配置されることにより室内機２の意匠性を高める意匠パネルとして機能する。
【００４４】
〈第３パネル〉
第３パネル７３は、第１パネル７１と第２パネル７２との間に配置されている。第３パネル７３は、正面視において継目を有さない長方形の形状を有している。第３パネル７３は、前面グリル６０と略同じ幅Ｗを有し、上下方向に第１パネル７１と略同じ長さを有する。第３パネル７３の表側は、凹凸および穴などの開口部のない滑らかな概ね平坦な形状に形成されている。第３パネル７３は、図８（ａ）に示すように、左右端部近傍が前面グリル６０の左右の側面にそれぞれ固定されており、第３パネル７３の前面部分が前面グリル６０の前面に対して前後方向に隙間を隔てるように配置されている。すなわち、第３パネル７３の前面部分の後方には、前面グリル６０との間に隙間が形成されている。この隙間は、下方に配置された第１パネル７１の厚さよりも僅かに大きく形成されており、吹出し口２６を開くために移動する第１パネル７１を収容する空間となっている。また、第３パネル７３は、不透明な樹脂材料から成型されている。
【００４５】
このように、第１パネル７１は、吹出し口２６を閉じた状態においては、吹出し口２６を含む前面グリル６０の前面の下方を完全に覆い、第２パネル７２は、第１吸込み口２７を閉じた状態においては、第１吸込み口２７を含む前面グリル６０の前面の上方を完全に覆う。また、第１パネル７１、第２パネル７２および第３パネル７３は、上下に並んで配置されており、吹出し口２６および第１吸込み口２７が閉じられた状態では、略平坦な長方形の平面を構成するように配置される。第１パネル７１、第２パネル７２および第３パネル７３によって構成される前面パネル７は、吹出し口２６および第１吸込み口２７が閉じられた状態では室内機２の前面の略全体を覆い、第１パネル７１、第２パネル７２および第３パネル７３の境目にできる継目のみが正面視において表れる。すなわち、第１パネル７１と第３パネル７３との境目および第２パネル７２と第３パネル７３との境目によって形成される水平方向に延びる継目のみが正面視において表れる。さらに、第１パネル７１、第２パネル７２および第３パネル７３は上下方向に平行となっており、前面パネル７は、吹出し口２６および第１吸込み口２７を閉じた状態において、上下方向に平行な平坦面を形成している。この空気調和機１の室内機２では、前面パネル７がこのような平坦な形状とされることにより、美観が向上している。
【００４６】
［運転開始時の前面パネルの動作］
室内機２が停止している場合、前面パネル７は上記のように吹出し口２６と第1吸込み口２７とを閉じた状態となっている。室内機２が運転を行う場合、まず、室内ファン２１が低回転で起動される。次に、第１パネル７１および第２パネル７２が移動して吹出し口２６および第１吸込み口２７が開かれる。これにより、室内機２へ取り込まれる空気の風量が確保されると共に、水平方向への空気の吹き出しが行われる。以下、前面パネル７の動作を主として図８（ａ）、図８（ｂ）および図８（ｃ）に基づいて説明する。なお、図８（ａ）、図８（ｂ）および図８（ｃ）は、室内機２の側面図である。
【００４７】
室内機２が運転を停止している状態では、第１パネル７１および第２パネル７２は、吹出し口２６および第１吸込み口２７を閉じており、図８（ａ）に示すように、第１パネル７１、第２パネル７２および第３パネル７３は、上下方向に平行に側面視において略一直線上に並ぶように配置される。また、第１パネル７１、第２パネル７２および第３パネル７３の表側は略平坦になっている。なお、この状態では、開閉機構６１の第１パネル支持部材６７は、可動範囲の最も下方に位置している。また、第２パネル支持部材６８は、可動範囲の最も後方に位置している。
【００４８】
室内機２が運転を開始すると、駆動機４１のパネル開閉モータ４３が制御されて回転を始める。そして、駆動機４１の駆動力が動力伝達軸６５に伝達され、駆動力が第１開閉機構６３と第２開閉機構６４とに分配されて伝達される。そして、第１開閉機構６３と第２開閉機構６４とによって、第１パネル７１および第２パネル７２が移動して、吹出し口２６および第１吸込み口２７が開かれる。
【００４９】
このとき、第１開閉機構６３では、駆動力が第１開閉ギア６３０と第２開閉ギア６３１とを介して第１パネル支持部材６７へと伝達される。第２開閉ギア６３１から第１パネル支持部材６７の第１ギア部６７０へと駆動力が伝達される際に、回転運動が上方への直線運動に変換され、第１パネル支持部材６７は、上方へと直線的に移動する。また、第２開閉機構６４においても同じ駆動機４１の駆動力が伝達されて同様の動作が行われる。これにより、図８（ｂ）に示すように、第１パネル７１は、上下方向上向きに平行移動して吹出し口２６を開く。第１パネル７１が上下方向上向きに移動すると、第１パネル７１の上端が第３パネル７３の後方の隙間に挿入される。第１パネル７１がさらに上方へと移動すると、図８（ｃ）に示すように、第１パネル７１が、第３パネル７３と前面グリル６０との間の隙間に収容され、第３パネル７３の後方に隠れた状態となる。すなわち、第１パネル７１の略全体が、第３パネル７３に重なった状態となる。
【００５０】
また、このような第１パネル７１の移動にリンクして第２パネル７２も移動する。このとき、第１開閉機構６３においては、上記の第２開閉ギア６３１の回転が、同時に第２パネル支持部材６８の第２ギア部６８０に伝達される。そして、第２開閉ギア６３１から第２パネル支持部材６８の第２ギア部６８０へと駆動力が伝達される際に、回転運動が緩やかな円弧状の運動に変換され、第２パネル支持部材６８は、前方へと緩やかな円弧状の軌跡に沿って移動する。この円弧状の軌跡は、第２パネル支持部材６８が前方へ移動すると共に第２パネル支持部材６８の上端が前方へ傾斜するような軌跡となっている。また、第２開閉機構６４においても同じ駆動機４１の駆動力が伝達されて同様の動作が行われる。これにより、第２パネル支持部材６８が前面グリル６０の前面から前方へと突出する。このため、図８（ｂ）に示すように、第２パネル７２は、前方へと移動すると共に、正面視における左右方向に平行な軸を中心に回動する。第２パネル７２は、その下端近傍を中心にして、上端が前方へ向けて傾斜するように回動する。第２パネル７２は、図８（ｃ）に示すように、さらに移動して前面グリル６０と第２パネル７２との間に隙間が形成される。これにより、第１吸込み口２７が開かれる。そして、第２パネル７２の上端と前面グリル６０との間の隙間から空気が吸込まれ、第１吸込み口２７から室内機２の内部に空気が吸込まれる。なお、このとき、前面グリル６０と第２パネル７２との間の隙間の側方は第２パネル支持部材６８によって塞がれており、前面グリル６０と第２パネル７２との間の隙間の上方が開かれている。このため、空気は、主として前面グリル６０と第２パネル７２との間の隙間の上方から吸込まれる。
【００５１】
前面パネル７が移動して吹出し口２６と第１吸込み口２７とが開かれると、水平フラップ５０（図２参照）が、設定された運転モードに対応した吹出し角度となるように回転移動する。
また、室内機２の運転停止時には、駆動機４１のパネル開閉モータ４３が逆方向に回転するように制御され、第１パネル支持部材６７と第２パネル支持部材６８とが上記と逆方向へと移動する。これにより、第１パネル７１および第２パネル７２が上記と逆に移動し、前面パネル７は平坦な状態へと戻る。
【００５２】
〔空気調和機の室内機の組立方法〕
次に、上記の空気調和機１の室内機２の組立方法について説明する。
この空気調和機１の室内機２の組立方法は、図９に示すように、主として、本体部４の組立工程Ｓ１、吹出し口組立体５の取付け工程Ｓ５、前面グリル組立体６の取付け工程Ｓ６、駆動機４１の本固定工程Ｓ７、前面パネル７の取付け工程Ｓ８を備える。
【００５３】
本体部４の組立工程Ｓ１は、さらに熱交換器等の取付け工程Ｓ２、駆動機４１の仮固定工程Ｓ３、配線の接続工程Ｓ４などを有している。
熱交換器等の取付け工程Ｓ２では、室内熱交換器２０、室内ファン２１、室内ファンモータ２２、電装品箱４０などが、本体ケーシング４２に取り付けられる。
駆動機４１の仮固定工程Ｓ３では、本体ケーシング４２の左側部４９に駆動機４１が仮固定される。ここでは、左側部４９の係止爪４９０が駆動機４１の係止孔４６１に挿入されて係止することにより、駆動機４１が左側部４９に仮固定される。仮固定された駆動機４１は、前面グリル６０が本体部４に取り付けられた状態において駆動機４１の被固定部４６２と前面グリル６０の固定部６２とが概ね一致するように配置される。
【００５４】
配線の接続工程Ｓ４では、駆動機４１のパネル開閉モータ４３と電装品箱４０の制御基板とがケーブル４３０によって接続される。なお、ケーブル４３０は、駆動機４１から本体ケーシング４２に沿って電装品箱４０まで延設される。
次に、吹出し口組立体５の取付け工程Ｓ５では、吹出し口組立体５が本体部４に取り付けられる。吹出し口組立体５は、本体部４の室内ファン２１が収容されている空間と吹出し口２６とが連通するように、本体部４に取り付けられる。
【００５５】
前面グリル組立体６の取付け工程Ｓ６では、前面グリル組立体６が本体部４に取り付けられる。前面グリル組立体６は、本体部４の前方から本体部４に被せられ、螺子止めや嵌め込みなどによって、本体部４に固定される。
駆動機４１の本固定工程Ｓ７では、駆動機４１が前面パネル７に本固定される。ここでは、前面パネル７の固定部６２の螺子穴と駆動機４１の被固定部４６２の螺子穴とに螺子が通されることにより、駆動機４１と前面パネル７とが固定される。このとき、駆動機４１は本体ケーシング４２に仮固定された状態であり、前面パネル７の固定部６２の螺子穴と駆動機４１の被固定部４６２の螺子穴とが近接して配置されている。また、前面パネル７の固定部６２の螺子穴と駆動機４１の被固定部４６２の螺子穴とが完全に一致していない状態であっても、駆動機４１を若干移動させることにより、固定部６２の螺子穴と被固定部４６２の螺子穴とを一致させて容易に螺子止めを行うことができる。
【００５６】
そして、前面パネル７の取付け工程Ｓ８において、前面パネル７が前面グリル６０に取り付けられる。ここでは、前面グリル６０の前面のスリット６００−６０３から突出する開閉機構６１の第１パネル支持部材６７の先端と、第２パネル支持部材６８の先端とに第１パネル７１および第２パネル７２がそれぞれ固定される。また、第３パネル７３が前面グリル６０に固定される。
【００５７】
なお、各工程Ｓ１−Ｓ８は、必ずしも上記の順番で行われる必要は無く、可能であれば順番が入れ替わってもよい。
〔特徴〕
（１）
この空気調和機１の室内機２では、前面パネル７の開閉を行う開閉機構６１が前面グリル６０に設けられている。このため、開閉機構６１が本体部４に設けられる場合と比べて、前面グリル６０と第１パネル７１および第２パネル７２との取付けの精度が向上する。従って、前面グリル６０と第１パネル７１および第２パネル７２との間の隙間や目地を均一に保つことが容易であり、意匠性を容易に向上させることができる。
【００５８】
また、第１開閉機構６３と第２開閉機構６４とはそれぞれユニット化されて前面グリル６０に設けられている。このため、第１開閉機構６３と第２開閉機構６４との前面グリル６０への取付けが容易であり、生産性が向上する。
さらに、第１開閉機構６３と第２開閉機構６４とは、前面グリル６０の左右の側面の内面に固定されており、前面グリル６０の本体部４への取付けの際の妨げとなる恐れが少ない。このため、前面グリル６０の本体部４への取付けも容易である。
【００５９】
（２）
この空気調和機１の室内機２では、第２パネル７２が開方向に移動して第１吸込み口２７が開かれた場合においても、第２パネル支持部材６８の板部６８１によって第２パネル７２と前面グリル６０との間の側方が塞がれる。また、開閉機構６１のギア部等は、板部６８１の内側に位置しているため、居住者等の手がギア部等に触れることが防止される。これにより、安全性が向上する。
【００６０】
また、板部６８１によって第２パネル７２と前面グリル６０との間の側方が塞がれるため、開閉部材やギアなどの可動部品を外部から見え難くすることができ、第２パネル７２の移動時における意匠性が向上する。
さらに、第２パネル支持部材６８は一体成型されており、板部６８１と第２ギア部６８０とは一体になっている。このため、部品点数が削減され、周辺部品が占有していたスペースの省略が可能となる。また、第２ギア部６８０と板部６８１とが一体化されたことにより、第２ギア部６８０自体の剛性が向上する。
【００６１】
以上のように、この空気調和機１の室内機２では、第２パネル７２を支持して移動させるための第２パネル支持部材６８を手入れ防止や目隠し用の部材としても利用しており、多機能部品として有効に利用している。
（３）
この空気調和機１の室内機２では、駆動機４１は本体部４に仮固定されるため、前面パネル７の本体部４への取付け時に駆動機４１が前面パネル７に固定されている場合と比べて、配線処理が容易である。すなわち、前面パネル７の本体部４への取付け時に駆動機４１が前面パネル７に固定されていると、前面パネル７側と本体部４側とで配線が跨ることになり作業が行い難くなる。しかし、駆動機４１を本体部４に仮固定することによって、前面パネル７の本体部４への取付け時に前面パネル７側と本体部４側とで配線が跨ることが防止される。
【００６２】
また、駆動機４１は開閉機構６１へと駆動力を伝達させるため、駆動機４１と開閉機構６１との位置合わせが必要であるが、この空気調和機１の室内機２では、前面グリル６０が本体部４に取り付けられた後に、前面グリル６０に固定される。すなわち、駆動機４１は最終的には前面グリル６０に固定されるため、前面グリル６０に設けられる開閉機構６１と駆動機４１との取付け精度が向上する。
【００６３】
（４）
この空気調和機１の室内機２では、駆動機４１の駆動力が第１開閉機構６３と第２開閉機構６４とに分配されて伝達され、第１パネル７１や第２パネル７２の左右両端近傍がリンクして移動する。従って、第１パネル７１や第２パネル７２において左右の移動が精度よく同期して行われるため、第１パネル７１や第２パネル７２の変形が防止され、滑らかな移動が可能である。
【００６４】
また、駆動機４１の駆動力が第１パネル支持部材６７と第２パネル支持部材６８に分配されて伝達されるため、第１パネル７１と第２パネル７２とがリンクして移動する。このため、第１吸込み口２７と吹出し口２６との開閉動作を同期させて行うことが容易である。
さらに、第１パネル７１や第２パネル７２の左右両端近傍の移動および第１パネル７１と第２パネル７２との移動の合計４箇所の移動が、一つのパネル開閉モータ４３の駆動力によって行われる。このため、この４箇所の移動の同期を精度良く行うことができ、開閉動作がタイミングよく行われる。
【００６５】
〔他の実施形態〕
（１）
上記の実施形態では、開閉機構６１は、駆動機４１から伝達される回転運動を直線運動或いは円弧状の運動に変換する機能を有するが、開閉機構６１が行う動作の変換は、これらに限られるものではない。例えば、駆動機４１から直線的な運動が伝達され、これを第１パネル７１や第２パネル７２の開閉動作に変換する機能を有する機構でもよい。
【００６６】
（２）
上記の実施形態では、第１開閉機構６３と第２開閉機構６４とは前面グリル６０の左右側面の内面にそれぞれ設けられているが、第１開閉機構６３と第２開閉機構６４との配置はこれらに限られるものではない。前面グリル６０の形状や前面パネル７の配置によっては、他の配置も可能である。
【００６７】
（３）
上記の実施形態では、第２パネル支持部材６８は一体成型されているが、別体の板部６８１とギア部とが利用されてもよい。ただし、部品点数削減の観点からは、一体成型されていることがより望ましい。
（４）
上記の実施形態では、本体部４の係止爪４９０と駆動機４１の係止孔４６１とによって仮固定が行われているが、係止爪４９０が駆動機４１に設けられ、係止孔４６１が本体部４に設けられてもよい。また、仮固定のための構成は、係止爪４９０と係止孔４６１とに限らず、駆動機４１を本体部４に対して仮固定できる他の構成でもよい。
【００６８】
（５）
上記の実施形態における仮固定の構造は、第１パネル７１や第２パネル７２の開閉に限らず、本体部４から、何らかの可動部品を備える前面グリル６０へと駆動力を伝達する必要のある場合に有効である。
（６）
上記の実施形態では、開閉機構６１の動力伝達軸６５によって駆動機４１の駆動力が分配されているが、このような軸部材に限らず他の部材によって駆動力が分配されてもよい。
【００６９】
（７）
上記の実施形態では、ギア部によって駆動機４１の駆動力が伝達されているが、カムなどの他の要素が駆動力伝達部として利用されてもよい。
【産業上の利用可能性】
【００７０】
本発明は、可動パネルの開閉動作における安全性を向上させる効果を有し、空気調和機の室内機として有用である。
【図面の簡単な説明】
【００７１】
【図１】空気調和機の冷媒回路図。
【図２】室内機の分解斜視図。
【図３】（ａ）室内機の正面図。  （ｂ）室内機の側面断面図。
【図４】室内機の左側端近傍の分解斜視図。
【図５】駆動機の側面図。
【図６】前面グリル組立体を裏側から見た図。
【図７】第１開閉機構の側面図。
【図８】第１パネルおよび第２パネルの開閉動作を示す図。
【図９】室内機の組立方法を示すフロー。
【符号の説明】
【００７２】
１            空気調和機
２            室内機
２７          第１吸込み口（開口）
４１          駆動機（駆動部）
６０          前面グリル（ケーシング）
６８          第２パネル支持部材（開閉部材）
７２          第２パネル（可動パネル）
６８０        第２ギア部（駆動力伝達部）
６８１        板部
【要約】
【課題】  可動パネルの開閉動作における安全性を向上させることができる空気調和機の室内機を提供する。
【解決手段】  空気調和機の室内機２は、前面グリル６０と、第２パネル７２と、駆動機と、第２パネル支持部材６８とを備える。前面グリル６０は、前面に第１吸込み口２７が設けられる。第２パネル７２は、第１吸込み口２７を覆うように設けられ、第１吸込み口２７から離れるように移動することによって第１吸込み口２７を開き、第１吸込み口２７に近接するように移動することによって第１吸込み口２７を閉じる。駆動機は、第２パネル７２を移動させるための駆動力を発生させる。第２パネル支持部材６８は、ギア部と板部とを有する。ギア部は、駆動機の駆動力を第２パネル７２に伝達する。板部は、ギア部の外側に設けられ、第２パネル７２の開状態において第２パネル７２と前面グリル６０との隙間を塞ぐ。
【選択図】      図２
【図１】
0003641725.tif 000002
【図２】
0003641725.tif 000003
【図３】
0003641725.tif 000004
【図４】
0003641725.tif 000005
【図５】
0003641725.tif 000006
【図６】
0003641725.tif 000007
【図７】
0003641725.tif 000008
【図８】
0003641725.tif 000009
【図９】
0003641725.tif 000010